(57)【要約】【課題】必要な場合に戸体の閉鎖を早くすることが可能なドアクローザを備える開口部装置を提供する。【解決手段】建物開口部に沿って設けられる枠体２、３、４と、該枠体内に開閉可能に配置される戸体５と、戸体の少なくとも閉鎖の動作時に該戸体の移動又は回動に対して閉鎖速度を抑制するドアクローザ１０と、を備える開口部装置１であって、ドアクローザは、戸体の閉鎖速度を抑制可能とする速度調節機構を有する本体１１、１１’と、速度調節機構に連動する伝達部材２１、３１、３５と、を備え、本体には、戸体の操作又は他の操作手段により、戸体の閉鎖速度を上げることを可能とする手段が設けられていることを特徴とする。【選択図】図４
2009215804.tif 000002
【特許請求の範囲】
【請求項１】
建物開口部に沿って設けられる枠体と、該枠体内に開閉可能に配置される戸体と、前記戸体の少なくとも閉鎖の動作時に該戸体の移動又は回動に対して閉鎖速度を抑制するドアクローザと、を備える開口部装置であって、
前記ドアクローザは、前記戸体の閉鎖速度を抑制可能とする速度調節機構を有する本体と、
前記速度調節機構に連動する伝達部材と、を備え、
前記本体には、前記戸体の操作又は他の操作手段により、前記戸体の閉鎖速度を上げることを可能とする手段が設けられていることを特徴とする開口部装置。
【請求項２】
前記速度調節機構は、
筐体と、
前記筐体内に配置され、該筐体内の空間を第一空間、及び第二空間に分離し、前記空間内を移動可能に設けられた移動部材と、
前記第一空間と前記第二空間とを連結する２つの流路である第一流路及び第二流路と、
前記第一流路、又は前記第二流路の少なくとも一方に具備され、前記戸体の操作又は他の操作手段により開放されて流路の流通を許容する弁と、を備え、
前記第一空間、第二空間、第一流路、及び第二流路には作動流体が充填されていること特徴とする請求項１に記載の開口部装置。
【発明の詳細な説明】
【技術分野】
【０００１】
本発明は、ドアクローザを備える開口部装置に関し、詳しくは、通常の戸体閉鎖時には該戸体の閉鎖速度が抑制され、戸体の閉鎖を素早く完了させたいときには該戸体の閉鎖速度を上げることができるドアクローザを備える開口部装置に関する。
【背景技術】
【０００２】
人が出入りする建物開口部に配置される開口部装置には、ドアクローザが備えられる場合が多い。ドアクローザは、開口部装置の戸体の開閉に際し、急激な戸体の移動や回動を抑制する役割を有する。これにより戸体を緩やかに閉鎖又は開放させることができ、例えば閉鎖時の音を小さく抑える等することができる。
【０００３】
ドアクローザを備えた開口部装置については、従来においていくつかの付加的な機能が提案され、これにより利便性が向上されている。例えば特許文献１に開示されたドアクローザのストップ機構では、ドアクローザによるストップ機構を備える。また、特許文献２には、ドアクローザ本体の作動油の粘性が変化した場合でも調整弁を調整することなくドアクローザの閉扉時間が変わらない発明が開示されている。
【特許文献１】特開２００７−２８４９８３号公報
【特許文献２】特開平１０−１３１６０４号公報
【発明の開示】
【発明が解決しようとする課題】
【０００４】
しかしながら、ドアクローザを備える開口部装置には上記のような利点がある一方、戸体の閉鎖を素早く完了させたい場合にそれを妨げてしまうという問題があった。これには例えば、寒冷地において、できるだけ戸体が開いている時間を減らしたいという生活環境からの観点や、帰宅時に戸体をできるだけ素早く閉鎖したいという防犯上の観点等を挙げることができる。
【０００５】
そこで本発明はこれら問題点に鑑み、必要な場合に戸体の閉鎖を早くすることが可能なドアクローザを備える開口部装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、建物開口部に沿って設けられる枠体（２、３、４）と、該枠体内に開閉可能に配置される戸体（５）と、戸体の少なくとも閉鎖の動作時に該戸体の移動又は回動に対して閉鎖速度を抑制するドアクローザ（１０）と、を備える開口部装置（１）であって、ドアクローザは、戸体の閉鎖速度を抑制可能とする速度調節機構を有する本体（１１、１１’）と、速度調節機構に連動する伝達部材（２１、３１、３５）と、を備え、本体には、戸体の操作又は他の操作手段により、戸体の閉鎖速度を上げることを可能とする手段が設けられていることを特徴とする開口部装置を提供することにより前記課題を解決する。
【０００８】
請求項２に記載の発明は、請求項１に記載の開口部装置（１）における速度調節機構は、筐体（１１ａ）と、筐体内に配置され、該筐体内の空間を第一空間（１３）、及び第二空間（１４）に分離し、前記空間内を移動可能に設けられた移動部材（１５）と、第一空間と第二空間とを連結する２つの流路である第一流路（１７）及び第二流路（１８）と、第一流路、又は第二流路の少なくとも一方に具備され、戸体の操作又は他の操作手段により開放されて流路の流通を許容する弁（１９、１９’）とを備え、第一空間、第二空間、第一流路、及び第二流路には作動流体が充填されていること特徴とする。
【発明の効果】
【０００９】
本発明によれば、必要な場合に戸体の閉鎖を早くすることが可能なドアクローザを備える開口部装置を提供することができる。
【００１０】
本発明のこのような作用及び利得は、次に説明する発明を実施するための最良の形態から明らかにされる。
【発明を実施するための最良の形態】
【００１１】
以下、本発明を図面に示す実施形態に基づき説明する。
【００１２】
図１、図２は、１つの実施形態に係る本発明の開口部装置１が備えられた建物開口部の斜視図である。いずれの図もドアクローザ１０が取り付けられた側から見た図で、図１は戸体５が閉鎖された姿勢、図２は戸体５が開放された姿勢の図である。以下、図１、図２及び適宜示す図を参照しつつ開口部装置１について説明する。
【００１３】
開口部装置１は、縦枠２、３、横枠４、戸体５、把手６、及びドアクローザ１０を備えている。縦枠２、３及び横枠４は、図１、図２にＷ、Ｗで示した建物の壁に設けられた開口部の縁に沿って配置される枠材である。戸体５は、縦枠２、３及び横枠４により形成された枠体の内側に配置され、そのうちの１辺が縦枠２と不図示の蝶番により連結されている。これにより戸体５は蝶番が備えられた１辺を軸として回動させることができ、いわゆるスイング式に開閉可能な開口部装置１となる。戸体５の蝶番が取り付けられた側とは反対側の端部には把手６が取り付けられている。使用者は当該把手６を室内外方向に押し引きすることにより、戸体５の回動をさせることができる。
【００１４】
ドアクローザ１０は、戸体５が回動する側とは反対側の戸体５の面と横枠４とを連結するように配置される装置である。図３にドアクローザ１０の分解斜視図を示した。図３からわかるように、ドアクローザ１０は、本体１１、及び伝達手段としてのアーム２１、ロッド３１、並びに枠固定部材３５を備えている。
【００１５】
本体１１は、その内側に速度調節機構を内蔵している。該機構からはこれに連動し、外に露出した角柱状の回転軸１２が設けられている。回転軸１２は図３にＡで示したように回動可能であり、該回動と速度調節機構とが互いに連動して動作する。
【００１６】
図４に速度調節機構の概要を示した。本体１１は、筐体１１ａと、筐体１１ａ内を図４に矢印Ｂで示したように移動可能な移動部材としてのピストン１５と、ピストン１５を挟んでその両側に形成される第一空間１３、及び第二空間１４とを備え、該第二空間１４にはピストン１５の移動により付勢される弾性部材１６が配置されている。さらに、本体１１は、第一空間１３と第二空間１４とを連結する第一流路１７及び第二流路１８を具備し、第二流路１８には所定の圧力以上のときに開放される弁１９が設けられている。そして第一空間１３、第二空間１４、第一流路１７、及び第二流路１８には作動流体が充填されている。これらを備える速度調整機構の動作については後で説明する。作動流体は、通常のドアクローザに用いられるものを適用することができるが、特に限定されるものではなく、気体、液体いずれでもよい。
【００１７】
伝達部材としてのアーム２１は、図３からわかるように、棒状の部材で、その両端部に貫通孔である本体側孔２２及びロッド側孔２８を備えている。本体側孔２２は、角孔とされ、上記角柱状である本体１１の回転軸１２を挿入してこれと連動できるように形成されている。ロッド側孔２８は円形状の孔である。
【００１８】
伝達部材としてのロッド３１も棒状の部材で、その両端部に貫通孔であるアーム側孔３２及び枠固定部材側孔３３を備えている。いずれの孔も円形の貫通孔である。また、枠固定部材３５も伝達部材として機能し、板状の部材であるとともにその一端部に板厚方向に貫通する孔３６を有している。
【００１９】
以上のような構成部材を備えるドアクローザ１０は、次に説明するように各構成部材が組み合わせられるとともに、戸体５及び横枠４（図１、図２参照）に取り付けられる。
【００２０】
本体１１は戸体５の一方の面の上部で蝶番が備えられる側の端部に固定される（図１、図２参照）。ここで、当該戸体５の一方の面とは、該戸体５が回動する側とは反対側の戸体５の面である。このとき、回転軸１２が上方に突出するように配置される。
【００２１】
アーム２１は、本体１１の回転軸１２を該アーム２１の本体側孔２２に差し込むように配置する。そして図３に示した固定部材２５ａ、２５ｂによりアーム２１を回転軸１２に固定する。これによりアーム２１は上記本体１１、及び本体１１に備えられる速度調整機構と連動することが可能となる。
【００２２】
アーム２１とロッド３１とは、ロッド側孔２８及びアーム側孔３２が上下方向に同軸とされて、該ロッド側孔２８とアーム側孔３２とに不図示の固定部材を通すことにより連結される。このときアーム２１とロッド３１とが互いに連結部を中心に回動可能となるように連結される。回動可能となるような連結手段は通常のドアクローザと同様の手段を用いることができる。
【００２３】
ロッド３１と枠固定部材３５とは、枠固定部材側孔３３及び孔３６が上下方向に同軸とされて、該枠固定部材側孔３３と孔３６とに不図示の固定部材を通すことにより連結される。このときロッド３１は、枠固定部材３５との連結部を中心に回動可能となるように連結される。回動可能となるような連結手段は通常のドアクローザと同様の手段を用いることができる。
【００２４】
枠固定部材３５は上記のように孔３６が上下方向に貫通する向きとされた姿勢で、その一部が横枠４に固定される（図１、図２参照）。
【００２５】
以上のようなドアクローザ１０を備えた開口部装置１により、戸体５が開放された姿勢からこれを閉鎖させるときに、通常時には戸体５の閉鎖動作は緩やかにおこなわれ、早急な戸体５の閉鎖をしたい時には該戸体５の早急な閉鎖をさせることが可能となる。詳しくは次の通りである。
【００２６】
図５に戸体５（図１、図２参照）を閉鎖するときの本体１１における速度調整機構の動作を説明するための図を示した。ここでは、戸体５を閉鎖する方向に移動させることにより、本体１１のピストン１５は筐体１１ａ内を紙面左から右へ移動するように設定してあるものとする。
【００２７】
通常に（例えば自然に）戸体５を閉鎖させたときには、図５（ａ）に示したように、第一空間１３の内側は所定の圧力が維持され、ピストン１５が矢印Ｃで示した方向に移動するとともに矢印Ｄで示したように作動流体が移動する。ここで当該所定の圧力では弁１９は開放されず、ピストン１５の移動に伴い作動流体は第一流路１７のみを通って第一空間１３から第二空間１４に移動する。これにより、当該作動流体の移動に伴う戸体５の閉鎖が行われ、緩やかな戸体５の閉鎖が可能となる。
【００２８】
一方、急速に戸体５を閉鎖させたとき（すなわち使用者が戸体５の早急な閉鎖を望んだとき）には、急激な戸体５の回動によりピストン１５が速く移動しようとするので、第一空間１３内の作動流体を強く押圧し、第一空間１３内の圧力が上昇する。これにより、作動流体の圧力が弁１９を開放させる圧力を超えるので、弁１９が開放される。そして、第一空間１３から第二空間１４への作動流体の移動は矢印Ｄ’及びＥで示したように２つの流路１７、１８によりおこなわれる。従って短時間で多くの作動流体を第一空間１３から第二空間１４へ移動させることができ、ピストン１５も矢印Ｃ’で示したように速く移動させることができる。これに伴い、急速な戸体５の閉鎖をすることができる。
【００２９】
以上のような開口部装置により、必要な場合に戸体を早急に閉鎖することが可能なドアクローザを備える開口部装置を提供することができる。
【００３０】
図６、図７は、上記開口部装置１の変形例に係る開口部装置を説明するための図である。当該変形例は、これに備えられるドアクローザの本体１１’において変形された例であり、他の構成については開口部装置１と共通するので、ここでは説明を省略する。
【００３１】
図６からわかるように、ドアクローザの本体１１’は、上記本体１１（図４参照）に備えられる弁１９の代わりに、弁１９’及び弁操作手段２０を有している。弁操作手段２０は、例えば戸体の把手に隣接して設けられ、操作者の操作上利便性のよい場所に配置される。弁１９’は、圧力による開放ではなく弁操作手段２０の操作により開放されるように構成されている。
【００３２】
図７に戸体５（図１、図２参照）を閉鎖するときの本体１１’の速度調整機構の動作を説明するための図を示した。ここでは、戸体５を閉鎖する方向に移動させることにより、本体１１’のピストン１５は筐体１１ａ内を紙面左から右へ移動するように設定してあるものとする。
【００３３】
通常に（例えば自然に）戸体５を閉鎖させたいときには、図７（ａ）に示したように弁操作手段２０を操作せず、弁１９’は閉鎖したままとする。従って、作動流体は矢印Ｇで示したように第一流路１７のみを通り第一空間１３から第二空間１４に移動するとともにピストン１５が矢印Ｆで示したように移動する。これにより、当該作動流体の移動に伴う戸体５の閉鎖が行われ、緩やかな戸体５の閉鎖が可能となる。
【００３４】
一方、急速に戸体５を閉鎖させたいときには、図７（ｂ）に示したように、弁操作手段２０を操作して弁１９’を開放させる。これにより第一空間１３から第二空間１４への作動流体の移動は矢印Ｇ’、Ｈで示したように２つの流路１７、１８によりおこなわれる。従って短時間で多くの作動流体を第一空間１３から第二空間１４へ移動させることができ、ピストン１５も矢印Ｆ’で示したように速く移動させることができる。これに伴い、急速な戸体５の閉鎖をすることができる。
【００３５】
以上のような開口部装置により、必要な場合に素早く戸体を閉鎖することが可能なドアクローザを備える開口部装置を提供することができる。
【００３６】
以上の実施形態の開口部装置１では、スイング式の開口部装置について説明したが、本発明の開口部装置はこれに限定されることなく、例えば引戸式の開口部装置であってもよい。引戸式の開口部装置の場合には、本体のピストンの移動が、引戸の直線移動に連動する伝達部材によるものとされていればよい。
【００３７】
以上、現時点において、もっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うドアクローザを備える開口部装置もまた本発明の技術的範囲に包含されるものとして理解されなければならない。
【図面の簡単な説明】
【００３８】
【図１】１つの実施形態に係る本発明の開口部装置の斜視図である。
【図２】図１に示した開口部装置において戸体が開放された図である。
【図３】ドアクローザの分解斜視図である。
【図４】ドアクローザに備えられる本体の構成を説明する概要図である。
【図５】図５に示した本体の動作を説明するための図である。
【図６】１つの実施形態に係る開口部装置の変形例の開口部装置に備えられるドアクローザ本体の構成を説明する概要図である。
【図７】図６に示した本体の動作を説明するための図である。
【符号の説明】
【００３９】
１  開口部装置
２  縦枠
３  縦枠
４  横枠
５  戸体
６  把手
１０  ドアクローザ
１１  本体（速度調整機構を含む）
１１ａ  筐体
１２  回転軸
１３  第一空間
１４  第二空間
１５  ピストン（移動部材）
１６  弾性部材
１７  第一流路
１８  第二流路
１９、１９’  弁
２０  弁操作手段
２１  アーム（伝達部材）
２２  本体側孔
２５ａ、２５ｂ  固定部材
２８  ロッド側孔
３１  ロッド（伝達部材）
３２  アーム側孔
３３  枠固定部材側孔
３５  枠固定部材（伝達部材）
３６  孔
【図１】
2009215804.tif 000003
【図２】
2009215804.tif 000004
【図３】
2009215804.tif 000005
【図４】
2009215804.tif 000006
【図５】
2009215804.tif 000007
【図６】
2009215804.tif 000008
【図７】
2009215804.tif 000009